(57)【要約】【課題】  ホストエンドと表示器間に信号無線伝送／受信の無線伝送効果を形成し、連接インターフェースが異なると伝送できないという問題を考慮する必要がなく、コストを効果的に低廉化し使用効率を向上させ、経済的なパフォーマンスが高い無線伝送装置を提供する。【解決手段】  外部ホストエンドに信号伝送の無線伝送ユニットを設置し、外部表示器に信号受信の無線伝送ユニットを設置し、ホストエンドと表示器間に無線伝送装置を設置し、無線伝送装置によりホストエンドの信号を受信し、内部処理ユニットによりホストエンドの信号をデコーディングし、表示器受信の信号に転換し、無線伝送装置により該信号を表示器の無線伝送ユニットに伝送し、表示器は信号を受信し表示する無線伝送装置である。  【選択図】  図１
2008177805.tif 000002
【特許請求の範囲】
【請求項１】
外部ホストエンドと無線伝送装置と表示器とを無線によって信号伝送する無線伝送装置であって、該無線装置は以下の手段を有するとともに前記信号伝送を以下のステップで順次実行することを特徴とする無線伝送装置。
ａ．外部ホストエンドと表示器間において、無線伝送装置を利用しホストエンドの信号を受信する手段によって受信するステップ、
ｂ．無線伝送装置の処理ユニットによりデコーディングし、信号を表示器が受信可能な信号にデコーディングする手段によってデコーディングするステップ、
ｃ．無線伝送装置を利用しデコーディング後の信号を表示器に伝送する手段によってデコーディング後の信号を伝送するステップ、
ｄ．表示器の無線伝送ユニットは信号を受信し表示を行う手段によって表示するステップ。
【請求項２】
前記無線伝送装置は信号を伝送／受信する無線伝送インターフェースを設置し、しかも、該無線伝送インターフェースは該無線伝送装置内に１個或いは１個以上を設置し、該無線伝送インターフェースの無線伝送／受信方式はブルートゥース、赤外線、ＲＦ或いは他の無線伝送機能を備えた構造により構成し、
該無線伝送インターフェースは該ホストエンドが設置する無線伝送ユニットが伝送する信号が受信可能で、該無線伝送インターフェースは該信号を処理ユニットに伝送しデコーディングを行い、デコーディング後の信号は無線伝送インターフェースを通して該表示器の無線伝送ユニットに伝送され、
該表示器はＶＧＡ表示インターフェース信号、またはＰＣＩ或いはＡＧＰなどの異なる形式の表示インターフェースの信号を受信することを特徴とする請求項１記載の無線伝送装置。
【請求項３】
前記無線伝送装置はさらに拡充ユニットを連接し、該拡充ユニットはバス制御インターフェースを備え、ＵＳＢインターフェース或いはＶＧＡインターフェースなどを備える他のバス制御インターフェースの電子装置と連接し、
該電子装置は信号を伝送／受信する無線伝送ユニットであることを特徴とする請求項１記載の無線伝送装置。
【発明の詳細な説明】
【技術分野】
【０００１】
本発明は、一種のホストエンドと表示器間に無線伝送装置を利用した信号の無線伝送／受信方式の無線伝送装置に関する。
【背景技術】
【０００２】
ＩＴ技術の急速な発展に従い、近年コンピュータテクノロジーが広く普及している。ＰＣは今やあらゆる家庭と企業にとって必須の道具となっており、さらには一家に一台の家電のようにもなりつつあり、日常生活には不可欠の電子製品である。
しかし、一般のコンピュータが必要とする処理作業と具備する機能は使用者によって異なるため、それに対応しようと、付加機能もますます複雑で多様化している。特に、ここ数年はコンピュータマルチメディアが流行しているため、影像、音声、文字を入力、編集、再生するための機能がＰＣに求められるようになっている。これに対応するため、ＰＣの入力或いは出力装置も、最も基本的なマウス、キーボード、モニター、スピーカーの他に、より機能が多く、速度が速い周辺製品（プリンター、スキャナー、デジカメ、カードリーダーなど）が必要とされ、電子製品の価格の下落により、各階層のユーザーが所有できるようになっている。
上記のように、コンピュータが普及し価格が大衆化するに従い多くの使用者に受け入れられている状況において、それぞれの使用者が所有するＰＣは、周辺設備としてしばしば各種の電子製品（プリンター、スキャナー、デジカメ、カードリーダーなど）が接続されるが、各種規格の連接線により接続導通することにより、コードが膨大な数になり減らすことができないという問題が発生している。
コンピュータを構成する基本配備は本体、モニター、キーボード、マウスで、その構成物件間はそれぞれ各式連接線により相互に接続し、空間上の使用においては、本体、モニター、キーボード、マウスを相同な範囲内に設置しなければならない。そのため連接線の長さはモニターを本体からあまり遠くに離すことができないという状況を招き、しかも本体とモニター間の連接線が多く、絡まり、引っかかり或いはぶつかり易いという状況が発生し、モニターと本体の使用状態に悪影響を及ぼし、これにより、モニターのパネルが周囲の物品にぶつかり、破裂するなどの問題も発生している。
さらに、使用者は、本体とモニターを設置する時、適した連接線を選択し本体とモニターを相互に導通させ電気的に連接する必要があるため、組立てに非常に時間がかかり、また連接線に引っかかるなどの問題も発生し易い。これでは組立てが面倒で、煩雑に過ぎる。
【０００３】
次に、先行技術を図６に示して説明するが、本発明人の申請の特許である台湾申請番号第０９１１２５０８７号は第１２２９８０８号「ＵＳＢのＶＧＡインターフェースに対する転換装置」で２００３年１０月２５日に申請されたものである。
該先行技術はＵＳＢのＶＧＡインターフェースに対する転換装置Ａは本体Ｂと表示器Ｃの間に位置し、しかも該本体ＢのＵＳＢインターフェースポートＢ１と相互に連接するＵＳＢ制御器Ａ１を設置し、該ＵＳＢ制御器Ａ１の別の側のＶＧＡ制御器Ａ３は該表示器Ｃに連接する。
該連接方式は、主にＵＳＢ制御器Ａ１とＶＧＡ制御器Ａ３間に備えるブリッジＡ２により、有線連接方式を通して該ＵＳＢ制御器Ａ１と該本体ＢのＵＳＢインターフェースポートＢ１を連接し、しかも別の側のＶＧＡ制御器Ａ３はまた該表示器Ｃと相互に連接する。さらに該ブリッジＡ２を通して、ＵＳＢデータ信号をデコーディングし、該表示器Ｃが受信可能な信号を形成し、さらに該表示器Ｃに伝送し表示する。
しかし、上記ＵＳＢのＶＧＡインターフェースに対する転換装置ＡはＵＳＢインターフェースをＶＧＡインターフェースに転換する効果を備えるが、なお以下のような欠点が存在する。
すなわち、有線連接方式を通してＵＳＢのＶＧＡインターフェースに対する転換を達成する転換装置Ａは互換性のある本体Ｂ、表示器ＣのＵＳＢ及びＶＧＡインターフェースを相対的に設計する必要がある。もし本体Ｂと表示器ＣそのものにＵＳＢ或いはＶＧＡインターフェース或いは他の型式を使用するインターフェースがないなら、該ＵＳＢのＶＧＡインターフェースに対する転換装置ＡのＵＳＢ制御器Ａ１、ＶＧＡ制御器Ａ３はインターフェースが異なり、接続使用ができないという問題が発生する。
よって、いかにして、上記公知方式の欠点と不便を解決するかは、業界関係者が研究を目指す方向の到達点である。
【特許文献１】台湾特許第１２２９８０８号（？）
【発明の開示】
【発明が解決しようとする課題】
【０００４】
本発明は上記構造の問題点に鑑みてなされたもので、表示器が種々ホストエンドの機器に対応して接続使用することができ、コストを低廉化し、使用効率を向上させ、経済的なパフォーマンスが高い無線伝送装置を提供するものである。
上記公知装置の設計における理想への未達成に鑑み、本発明人は関連資料を収集し、多方面の評価と考慮を重ね、当業界における多年にわたる従事経験、絶えず向上を目指す精神を以って、たゆまぬ研究改良と発明の理念を堅持し、上記の欠点に対して改良を加えた。
【課題を解決するための手段】
【０００５】
上記課題を解決するため、本発明は下記の無線伝送装置を提供する。
それは、主にホストエンド上に信号伝送可能な無線伝送ユニットを設置し、別の側の表示器上には信号を受信可能な無線伝送ユニットを設置し、該ホストエンドと該表示器間に無線伝送装置を設置し、該無線伝送装置は該ホストエンドの信号を受信し、しかも内部に設置する該ホストエンドの信号をデコーディング可能な処理ユニットを設置し、該ホストエンドの信号をデコーディングし該表示器が受信可能な信号に転換し、該無線伝送装置により該信号を該表示器の無線伝送ユニットに伝送し、該表示器はこの信号を受信し表示する。
さらに、該無線伝送装置内にはさらにバス制御インターフェースを備えた拡充ユニットを設置し、外部電子装置が該無線伝送装置に連接しようとする時には、該電子装置のバス制御インターフェースにおいて該拡充ユニットのバス制御インターフェースに有線連接するだけで良く、マウス、キーボード、プリンター、ＰＤＡ、ポータブルディスク、ノートＰＣなどの電子装置は該無線伝送装置上に連接され、該ホストエンドと該表示器は信号伝送を行うことができることを特徴とする無線伝送装置である。
【０００６】
すなわち、請求項１の発明は、外部ホストエンドと無線伝送装置と表示器とを無線によって信号伝送する無線伝送装置であって、該無線装置は以下の手段を有するとともに前記信号伝送を以下のステップで順次実行することを特徴とする無線伝送装置。
ａ．外部ホストエンドと表示器間において、無線伝送装置を利用しホストエンドの信号を受信する手段によって受信するステップ、
ｂ．無線伝送装置の処理ユニットによりデコーディングし、信号を表示器が受信可能な信号にデコーディングする手段によってデコーディングするステップ、
ｃ．無線伝送装置を利用しデコーディング後の信号を表示器に伝送する手段によってデコーディング後の信号を伝送するステップ、
ｄ．表示器の無線伝送ユニットは信号を受信し表示を行う手段によって表示するステップ。
請求項２の発明は、前記無線伝送装置は信号を伝送／受信する無線伝送インターフェースを設置し、しかも、該無線伝送インターフェースは該無線伝送装置内に１個或いは１個以上を設置し、該無線伝送インターフェースの無線伝送／受信方式はブルートゥース、赤外線、ＲＦ或いは他の無線伝送機能を備えた構造により構成し、該無線伝送インターフェースは該ホストエンドが設置する無線伝送ユニットが伝送する信号が受信可能で、該無線伝送インターフェースは該信号を処理ユニットに伝送しデコーディングを行い、デコーディング後の信号は無線伝送インターフェースを通して該表示器の無線伝送ユニットに伝送され、該表示器はＶＧＡ表示インターフェース信号、またはＰＣＩ或いはＡＧＰなどの異なる形式の表示インターフェースの信号を受信することを特徴とする請求項１記載の無線伝送装置である。
請求項３の発明は、前記無線伝送装置はさらに拡充ユニットを連接し、該拡充ユニットはバス制御インターフェースを備え、ＵＳＢインターフェース或いはＶＧＡインターフェースなどを備える他のバス制御インターフェースの電子装置と連接し、該電子装置は信号を伝送／受信する無線伝送ユニットであることを特徴とする請求項１記載の無線伝送装置である。
【発明の効果】
【０００７】
本発明の無線伝送装置によれば、ホストエンドと表示器間に無線伝送装置を利用した信号の無線伝送／受信方式において、ホストエンド信号を解除し表示器が受信可能な信号に転換する作用を備えているので、従来より、コストを低廉化し、使用効率を向上させ、経済的なパフォーマンスが高い無線伝送装置とすることが出来る。
【発明を実施するための最良の形態】
【０００８】
本発明の第一最適実施例を、ブロックチャートである図１に示して説明する。
本発明の第一最適実施例の無線伝送装置は、主に、外部のホストエンド１上に信号の伝送／受信が可能な無線伝送ユニット１１を設置し、反対側の外部表示器３上において信号の伝送／受信が可能な無線伝送ユニット３１を相対的に設置する。
しかも、該ホストエンド１と該表示器３の間には無線伝送装置２を設置し、該無線伝送装置２は該ホストエンド１の信号を受信可能で、内部には該ホストエンド１の信号とデコーディングが可能な処理ユニット２２を設置する。これにより該ホストエンド１の信号は該表示器３が受信可能な信号に転換され、該無線伝送装置２は該信号を該表示器３の無線伝送ユニット３１に伝送し、該表示器３は信号を受信し表示する。
上記説明の無線伝送装置２内には少なくとも１個以上の無線伝送インターフェース２１、２３を設置し、しかも片側の無線伝送インターフェース２１は該ホストエンド１の無線伝送ユニット１１が伝送する信号を受信することができる。該無線伝送インターフェース２１は該信号を該処理ユニット２２に伝送し、該処理ユニット２２内のブリッジ２２１を利用し該ホストエンド１の信号をデコーディングする。さらに、該ホストエンド１の信号を該表示器３が受信可能な信号に転換し、別の側の無線伝送インターフェース２３を通して該信号を該表示器３の無線伝送ユニット３１に伝送する。該表示器３は信号を受信すると、表示動作を行う。
【０００９】
本発明の実施例の無線伝送装置の信号伝送のフローチャートである図２に示すように、本発明無線伝送装置の信号伝送は以下のステップを含むものである。
ステップ（１０１）で、外部ホストエンドと表示器間において、無線伝送装置を利用しホストエンドの信号を受信し、ステップ（１０２）を執行する。
ステップ（１０２）で無線伝送装置の処理ユニットによりデコーディングし、信号を表示器が受信可能な信号にデコーディングし、ステップ（１０３）を執行する。
ステップ（１０３）で無線伝送装置を利用しデコーディング後の信号を表示器に伝送し、ステップ（１０４）を執行する。
ステップ（１０４）では、表示器の無線伝送ユニットは信号を受信し表示を行う。
【００１０】
本発明の第二最適実施例を、ブロックチャートである図３に示して説明する。
本発明の無線伝送装置２は、１個の無線伝送インターフェース２１を設置するだけで良い。該ホストエンド１の無線伝送ユニット１１が信号を伝送すると、該無線伝送インターフェース２１によりこの信号を受信し、該処理ユニット２２に伝送し、さらに該処理ユニット２２のブリッジ２２１によりデコーディングを行い、表示器３が受信可能な信号に転換する。続いて該無線伝送インターフェース２１により該信号を該表示器３の無線伝送ユニット３１に伝送するため、該表示器３は該信号を受信し表示を行う。
【００１１】
上記の処理ユニット２２は、該無線伝送インターフェース２１、２３、及び該ブリッジ２２１に対して制御を行うことができ（図１参照）、これにより該無線伝送インターフェース２１、２３と該ブリッジ２２１は各自の機能を完成することができる。このため、該ブリッジ２２１が該ホストエンド１の信号をデコーディングし、該表示器３の読み取りに符合する信号に転換する時、該処理ユニット２２は該無線伝送インターフェース２３を制御しデコーディング後、該表示器３に符合する信号を該表示器３の無線伝送ユニット３１に伝送し、該表示器３は該ホストエンド１の信号を表示する。
こうして、該ホストエンド１がグラフィクスカードを備える時、該グラフィクスカードの信号は該無線伝送ユニット１１を通して該表示器３に伝送され、つまり該ホストエンド１のグラフィクスカードと該表示器３間のすべての信号の伝送方式は、該無線伝送装置２が伝送／受信を受け持つことになる。これにより該ホストエンド１と該表示器３間の有線連接伝送方式を省略し、ＵＳＢ或いはＶＧＡなどのインターフェースが該規格のインターフェースに符合しなければ伝送できないという問題などの公知の連接インターフェースの煩雑な制限を効果的に解決可能である。
上記表示器３はＶＧＡ表示インターフェース信号を受信可能で、さらにＰＣＩ或いはＡＰＧなどの異なる型式の表示インターフェース信号も受信可能である。
【００１２】
本発明の第三最適実施例をブロックチャートである図４に示し、本発明の第四最適実施例をブロックチャートである図５に示して説明する。
本発明の第三最適実施例の無線伝送装置２は、さらに拡充ユニット２４を設置する。該拡充ユニット２４はバス制御インターフェース２４１を備え、ＵＳＢインターフェース或いはＶＧＡインターフェースなどの他のバス制御インターフェース４１を備える電子装置４（マウス、キーボード、プリンター、ＰＤＡ、ポータブルディスク、ノートＰＣなど）と有線連接を行うことができる。しかも、該電子装置４上にはさらに無線伝送ユニット４２を設置し、該無線伝送ユニット４２を利用し、該電子装置４の信号は該無線伝送装置２の無線伝送インターフェース２１に伝送される。
該無線伝送装置２の処理ユニット２２を経由しデコーディングを行い、該表示器３が受信可能な信号に転換し、この後、該無線伝送装置２は該信号を該表示器３に伝送し、該表示器３は該電子装置４の信号を表示する。
ここにおける該電子装置４と該無線伝送装置２間の伝送方式は有線或いは無線伝送方式で、この種の効果が同等な構造或いは他の効果が同等な構造変化を利用する効果は同一原理に基づき本発明の請求範囲に含まれる。
【００１３】
この他、上記拡充ユニット２４或いは該無線伝送インターフェース２１が有線或いは無線で該電子装置４の信号を受信すると、該信号は該処理ユニット２２に伝送され、該処理ユニット２２はデコーディングを行い、該表示器３の信号に転換する。さらに、該無線伝送インターフェース２３により、該表示器３に伝送され該電子装置４の信号を表示する。
使用者が該電子装置４の信号を保存しようとする時には、該ホストエンド１により該無線伝送装置２を通して該電子装置４の信号を取得し、これにより該電子装置４のバス制御インターフェース４１或いは無線伝送ユニット４２は、該無線伝送装置２の拡充ユニット２４或いは無線伝送インターフェース２１に信号を伝送し、該処理ユニット２２を利用し該信号をデコーディングし、該ホストエンド１が受信可能な信号に転換する。さらに、該無線伝送装置２の無線伝送インターフェース２１は該信号を該ホストエンド１の無線伝送ユニット１１に伝送し、これにより該ホストエンド１は信号を受信し保存を行う。こうして本発明の適用範囲を拡大することができる。
【００１４】
さらに、上記電子装置４であるバス制御インターフェース４１、或いは、第四最適実施例の無線伝送ユニット４２は、該電子装置４に信号を該無線伝送装置２に伝送させ、こうして該無線伝送装置２は信号をデコーディングし、該ホストエンド１或いは該表示器３に伝送する。続いて、該電子装置４は該無線伝送装置２を経て該ホストエンド１の信号を取得し、しかも該処理ユニット２２を通して該ホストエンド１の信号をデコーディングし該電子装置４が受信可能な信号に転換する。さらに、該無線伝送装置２の無線伝送インターフェース２１或いは拡充ユニット２４は該信号を該電子装置４の無線伝送ユニット４２或いはバス制御インターフェース４１に伝送し、こうして該電子装置４は該ホストエンド１の信号を受信し保存を行うことができる。この種の効果が同等な構造或いは他の効果が同等な構造変化を利用する効果は同一原理に基づき本発明の請求範囲に含まれる。
【００１５】
上記説明の無線伝送／受信方式はブルートゥース、赤外線、ＲＦ或いは他の無線伝送機能を備えた構造により構成する。しかも、信号を安定的に伝送／受信する特性を持つだけで良く、同時に該ホストエンド１と該表示器３の間に無線伝送方式を形成することができる。該表示器３は使用者の必要に応じて、無線信号を受信可能な範囲内の任意の位置に弾力的に設置すれば、該ホストエンド１の信号を無線で受信し表示を行うことができる。この種の効果が同等な構造或いは他の効果が同等な構造変化を利用する効果は同一原理に基づき本発明の請求範囲に含まれる。
【００１６】
本発明の保護の重点及び公知技術の改善のキーポイントは、外部ホストエンド１が信号を無線伝送装置２の無線伝送ユニット１１に伝送することができるだけで良く、該無線伝送装置２の無線伝送インターフェース２１はこの信号を受信し、該処理ユニット２２に伝送し、該処理ユニット２２によりこの信号をデコーディングし、これにより該ホストエンド１は信号を該表示器３が受信可能な信号に転換し、この後、該無線伝送装置２は別の側の無線伝送インターフェース２３を通してデコーディング後の信号を該表示器３の無線伝送ユニット３１に伝送するだけで、該表示器３は受信した信号を表示することができる点にある。こうして本発明は、ホストエンド１上にはＵＳＢインターフェースを備え、必ずＵＳＢインターフェースを備えたコードを利用し挿入接続の方式で伝送を行う必要があるなどの伝統的有線連接方式では互換性のあるインターフェースを用い伝送を行う必要があった点を効果的に解決することができる。
さらに、本発明の無線伝送方式は公知の伝送方式から派生する様々な制限を解決し、連接インターフェースを考慮しなくても信号伝送の作用を行うことができ、コストを低下させ、使用効率を向上させ、経済的である。
上記は本発明の最適実施例であるが、本発明の特徴を損なうものでなければ、本発明の特許請求の範囲を限定するものではないことは勿論であり、本発明説明書及び図式内容の簡単な修飾及び同等効果の変化の運用も、同一原理として本発明の特許範囲に含まれる。
【図面の簡単な説明】
【００１７】
【図１】本発明第一最適実施例のブロックチャートである。
【図２】本発明無線伝送装置の信号伝送のフローチャートである。
【図３】本発明第二最適実施例のブロックチャートである。
【図４】本発明第三最適実施例のブロックチャートである。
【図５】本発明第四最適実施例のブロックチャートである。
【図６】公知構造のブロックチャートである。
【符号の説明】
【００１８】
１  ホストエンド
１１  無線伝送ユニット
２  無線伝送装置
２１  無線伝送インターフェース
２２  処理ユニット
２２１  ブリッジ
２３  無線伝送インターフェース
２４  拡充ユニット
２４１  バス制御インターフェース
３  表示器
３１  無線伝送ユニット
４  電子装置
４１  バス制御インターフェース
４２  無線伝送ユニット
Ａ  ＵＳＢのＶＧＡインターフェースに対する転換装置
Ａ１  ＵＳＢ制御器
Ａ３  ＶＧＡ制御器
Ａ２  ブリッジ
Ｂ  本体
Ｂ１  ＵＳＢインターフェースポート
Ｃ  表示器
【図１】
2008177805.tif 000003
【図２】
2008177805.tif 000004
【図３】
2008177805.tif 000005
【図４】
2008177805.tif 000006
【図５】
2008177805.tif 000007
【図６】
2008177805.tif 000008
【手続補正書】
【提出日】平成19年1月18日(2007.1.18)
【手続補正１】
【補正対象書類名】明細書
【補正対象項目名】０００３
【補正方法】変更
【補正の内容】
【０００３】
次に、先行技術を図６に示して説明するが、本発明人の申請の特許である台湾申請番号第０９１１２５０８７号は第１２２９８０８号「ＵＳＢのＶＧＡインターフェースに対する転換装置」で２００３年１０月２５日に申請されたものである。
該先行技術はＵＳＢのＶＧＡインターフェースに対する転換装置Ａは本体Ｂと表示器Ｃの間に位置し、しかも該本体ＢのＵＳＢインターフェースポートＢ１と相互に連接するＵＳＢ制御器Ａ１を設置し、該ＵＳＢ制御器Ａ１の別の側のＶＧＡ制御器Ａ３は該表示器Ｃに連接する。
該連接方式は、主にＵＳＢ制御器Ａ１とＶＧＡ制御器Ａ３間に備えるブリッジＡ２により、有線連接方式を通して該ＵＳＢ制御器Ａ１と該本体ＢのＵＳＢインターフェースポートＢ１を連接し、しかも別の側のＶＧＡ制御器Ａ３はまた該表示器Ｃと相互に連接する。さらに該ブリッジＡ２を通して、ＵＳＢデータ信号をデコーディングし、該表示器Ｃが受信可能な信号を形成し、さらに該表示器Ｃに伝送し表示する。
しかし、上記ＵＳＢのＶＧＡインターフェースに対する転換装置ＡはＵＳＢインターフェースをＶＧＡインターフェースに転換する効果を備えるが、なお以下のような欠点が存在する。
すなわち、有線連接方式を通してＵＳＢのＶＧＡインターフェースに対する転換を達成する転換装置Ａは互換性のある本体Ｂ、表示器ＣのＵＳＢ及びＶＧＡインターフェースを相対的に設計する必要がある。もし本体Ｂと表示器ＣそのものにＵＳＢ或いはＶＧＡインターフェース或いは他の型式を使用するインターフェースがないなら、該ＵＳＢのＶＧＡインターフェースに対する転換装置ＡのＵＳＢ制御器Ａ１、ＶＧＡ制御器Ａ３はインターフェースが異なり、接続使用ができないという問題が発生する。
よって、いかにして、上記公知方式の欠点と不便を解決するかは、業界関係者が研究を目指す方向の到達点である。
【特許文献１】台湾特許第１２２９８０８号明細書